(57)【要約】【課題】トイレ内の状態を示す情報を遠隔地から監視可能なシステムを提供する。【解決手段】本発明に係るトイレシステムは、トイレ内に設置されたセンサと接続され、当該センサが出力するセンシングデータを取得して記憶部に記憶させる情報収集手段と、ネットワークに接続され、当該ネットワークを介して、記憶部に記憶されたセンシングデータに基づく情報を所定のコンピュータに送信する通信手段とを有する。【選択図】図２
2019027278.tif 000002
【特許請求の範囲】
【請求項１】
トイレ内に設置されたセンサと接続され、当該センサが出力するセンシングデータを取得して記憶部に記憶させる情報収集手段と、
ネットワークに接続され、当該ネットワークを介して、前記記憶部に記憶された前記センシングデータに基づく情報を所定のコンピュータに送信する通信手段と、
を有するトイレシステム。
【請求項２】
前記情報収集手段は、人感センサが人物を検知した回数又は流量センサが検知した洗浄水の流量を前記センシングデータとして前記記憶部に記憶させ、
前記通信手段は、所定の期間内に取得された前記センシングデータを送信する
請求項１に記載のトイレシステム。
【請求項３】
前記トイレ内の機器を制御するための設定情報を記憶させる設定記憶部をさらに有し、
前記通信手段は、前記ネットワークを介して前記設定情報を受信し、前記設定記憶部に記憶させる
請求項１又は２に記載のトイレシステム。
【請求項４】
前記設定情報は、水洗便器の制御弁が放流する洗浄水の水量を決定するための情報である
請求項３に記載のトイレシステム。
【請求項５】
前記情報収集手段は、トイレのドアの施錠を検知するドアロックセンサ及び便座への着座を検知する着座センサの少なくとも一方から前記センシングデータを取得し、
前記通信手段は、前記ドアロックセンサの出力するセンシングデータ若しくは前記着座センサの出力するセンシングデータ、又はこれらの組み合わせが所定の期間以上、所定の状態である場合、当該状態の発生を通知するための情報を送信する
請求項１から４のいずれか一項に記載のトイレシステム。
【発明の詳細な説明】
【技術分野】
【０００１】
本発明は、トイレシステムに関する。
【背景技術】
【０００２】
従来、トイレにおいて使用された洗浄水の量を、便器又は洗面台ごとに記憶し、出力できる流量制御システムが提案されていた。例えば、流量制御システムの制御部は、第１の水量による放流回数と、第２の水量による放流回数を記憶する記憶部と、記憶部に記憶されたデータを出力する出力部とを備える（特許文献１を参照）。
【先行技術文献】
【特許文献】
【０００３】
【特許文献１】特開２０１１−５２５３１号公報
【発明の概要】
【発明が解決しようとする課題】
【０００４】
従来、使用された洗浄水の量を、便器又は洗面台ごとに記憶し、出力できる流量制御システムは提案されていた。しかしながら、その出力結果を収集するためには、担当者がトイレを巡回し、携帯情報端末を使用して情報を読み込む作業を行うのが一般的である。
【０００５】
そこで、本発明は、トイレ内の状態を示す情報を遠隔地から監視可能なシステムを提供することを目的とする。
【課題を解決するための手段】
【０００６】
本発明に係るトイレシステムは、トイレ内に設置されたセンサと接続され、当該センサが出力するセンシングデータを取得して記憶部に記憶させる情報収集手段と、ネットワークに接続され、当該ネットワークを介して、記憶部に記憶されたセンシングデータに基づく情報を所定のコンピュータに送信する通信手段とを有する。
【０００７】
このようにすれば、ネットワークを介してトイレ内の状態を通知することができる。したがって、トイレ内の状態を示す情報を遠隔地から監視可能なシステムを提供することができるようになる。
【０００８】
また、トイレシステムは、情報収集手段は、人感センサが人物を検知した回数又は流量センサが検知した洗浄水の流量をセンシングデータとして記憶部に記憶させ、通信手段は、所定の期間内に取得されたセンシングデータを送信するようにしてもよい。このようにすれば、トイレを巡回することなく、トイレの利用者数又はトイレで使用された洗浄水の流量を監視することができるようになる。
【０００９】
さらに、トイレシステムは、トイレ内の機器を制御するための設定情報を記憶させる設定記憶部をさらに有し、通信手段は、ネットワークを介して設定情報を受信し、設定記憶部に記憶させるようにしてもよい。このようにすれば、遠隔地から監視するだけでなく、トイレを整備又は保守することができるようになる。なお、上記の設定情報は、水洗便器の制御弁が放流する洗浄水の水量を決定するための情報であってもよい。
【００１０】
また、情報収集手段は、トイレのドアの施錠を検知するドアロックセンサ及び便座への着座を検知する着座センサの少なくとも一方からセンシングデータを取得し、通信手段は、ドアロックセンサの出力するセンシングデータ若しくは着座センサの出力するセンシン
グデータ、又はこれらの組み合わせが所定の期間以上、所定の状態である場合、当該状態の発生を通知するための情報を送信するようにしてもよい。例えば、ドアが施錠されている期間やトイレの利用者が着座している期間等が一般的な使用の範囲から外れていると判断される場合にこれを通知することができるため、防犯性や安全性が向上する。
【００１１】
なお、上記した課題を解決するための手段に記載の内容は、本発明の課題や技術的思想を逸脱しない範囲で可能な限り組み合わせることができる。
【発明の効果】
【００１２】
本発明によれば、トイレ内の状態を示す情報を遠隔地から監視できるシステムを提供できる。
【図面の簡単な説明】
【００１３】
【図１】システム構成の一例を示す図である。
【図２】トイレの一例を示す斜視図である。
【図３】トイレの一例を示す機能ブロック図である。
【図４】コンピュータの装置構成の一例を示す図である。
【図５】監視処理の一例を示す処理フローである。
【図６】集計データの一例を示す図である。
【図７】クロス集計表の一例を示す図である。
【図８】ログを説明するための図である。
【図９】設定変更処理の一例を示す処理フローである。
【図１０】トイレブース毎の設定の一例を示すテーブルである。
【発明を実施するための形態】
【００１４】
＜システムの構成＞
以下、本発明の実施の形態について、図面に基づいて説明する。なお、実施の形態は本発明の一例であり、本発明の構成は以下の例には限られない。
【００１５】
図１は、本実施の形態に係るシステム全体の構成を示す図である。本実施の形態に係るシステムは、トイレ１と、サーバ２と、管理者端末３と、通知先サーバ４とを有し、これらがインターネット等のネットワーク５を介して相互に接続されている。
【００１６】
トイレ１は、例えば百貨店等の商業施設や駅等における、公衆が利用するトイレに備えられる。図１では１つのトイレ１を示しているが、トイレ１は、例えば複数の建物の各々や、建物のフロアの各々に備えられる。また、トイレ１は、トイレ内に設けられたセンサ等によりデータを取得し、例えば所定の間隔でサーバ２に送信する。
【００１７】
サーバ２は、トイレ１から情報を収集したり、トイレ１に設けられた機器の設定を変更するための情報を送信したりする。また、管理者端末３は、トイレ１に関するサービスの提供者がシステムに接続するためのコンピュータである。サーバ２が収集したデータは、例えば、管理者端末３によって読み出され、集計されたり、異常がないか検証される。また、トイレ１に設けられた機器の設定を、ネットワーク５を介して変更できるようにしてもよい。例えば、管理者端末３からサーバ２へ設定の変更を指示する情報を登録しておき、所定のタイミングでサーバ２からトイレ１へ変更を反映させるための情報を送信する。
【００１８】
また、通知先サーバ４は、トイレ１において異常が検知された場合にその旨を通知する宛先のコンピュータである。トイレ１において所定の状態が検知された場合は、その都度トイレ１からサーバ２へ情報を送信し、サーバ２が例えば電子メールを通知先サーバ４へ送信する。なお、サーバ２、管理者端末３及び通知先サーバ４の数も１つには限られない
。
【００１９】
図２は、トイレ１の一例の一部分を示す斜視図である。トイレ１は、制御部１１と、ネットワーク通信部１２と、トイレブース１４とを備えている。制御部１１は、マイクロコントローラやＣＰＵ（Central Processing Unit）等のような、プログラムを実行する処
理装置であり、本実施の形態に係る処理を制御する。なお、制御部１１は、図示していないデータ記憶部１３と接続されており、データの読み出しや書き込みを行うことができる。制御部１１は、本発明における情報収集手段に相当する。また、ネットワーク通信部１２は、携帯電話回線網又はイントラネット等を介してネットワーク５に接続するためのネットワークアダプタである。例えば、ネットワーク通信部１２とサーバ２とは、携帯電話回線の３Ｇ（3rd Generation）を利用して、ＨＴＴＰ通信を行う。ネットワーク通信部１２は、本発明における通信手段に相当する。
【００２０】
トイレブース１４は、便器等の機器を備える空間であり、例えば個室状に仕切られている。なお、男性用の小便器の周囲の空間を、トイレブース１４としてもよい。また、トイレ１は、トイレブース１４を複数備えていてもよく、１つの制御部１１が、同一フロアの男性用トイレ、女性用トイレ及び多目的トイレ等、周辺の領域に存在する複数のトイレブース１４を制御するようにしてもよい。
【００２１】
トイレブース１４は、制御部１４１と、センサ１４２（例えば、人感センサ１４２ａ、流量センサ１４２ｂ、ドアロックセンサ１４２ｃ及び着座センサ１４２ｄ）と、図示していないデータ記憶部１４３とを備えている。制御部１４１は、センサ１４２が検知した情報をデータ記憶部１４３に記憶させる。データ記憶部１４３は、本発明における設定記憶部としても働き、データ記憶部１４３に記憶されている設定に基づいて、トイレブース１４に備えられている機器が動作する。例えば、データ記憶部１４３に記憶されている、便座温度、温水洗浄便座の水勢、水温、ノズル位置又は方向、トイレ用擬音装置の音、芳香剤の種類等の情報に基づいて、便座ヒータ、温水洗浄便座、トイレ用擬音装置、芳香剤拡散装置等が動作する。なお、センサ１４２として、漏水センサ、水位センサ等を備えていてもよい。
【００２２】
ここで、人感センサは、赤外線等により人が所定の距離内に近づいたことを検知することができる。また、流量センサは、洗浄水の流量を測定する。例えば、洗浄水の放流に伴い回転する回転翼車の回転数を計数し、当該回転数に基づいて流量を算出する。ドアロックセンサは、ドアの施錠又は開錠を検知する。着座センサは、例えば便座上に設けられた赤外線センサ等の人感センサ又は便座に設けられた圧力センサであり、トイレの利用者が便座に座ったことを検知する。
【００２３】
また、制御部１４１は、トイレ１の制御部１１と有線又は無線により接続されており、制御部１４１は、データ記憶部１４３に記憶されている情報を制御部１１に送信する。トイレブース１４の制御部１４１とトイレ１の制御部１１とは、シリアルケーブル（例えば、多対多の通信が可能なＲＳ４８５インターフェイス）、いわゆるＬＡＮケーブルのようなツイストペアケーブル、その他の有線ケーブル、無線ＬＡＮやBluetooth等のような無
線通信方式により接続することができる。また、各トイレブース１４の制御部１４１には少なくともトイレ１内で一意の識別情報が設定され、制御部１１は任意の制御部１４１と通信することができる。
【００２４】
図３に、図２を用いて説明したトイレ１の機能ブロック図を示す。トイレ１は、制御部１１と、ネットワーク通信部１２と、データ記憶部１３と、トイレブース１４とを有する。制御部１１は、上述した処理装置であり、本実施の形態に係る処理を制御する。また、ネットワーク通信部１２は、上述したネットワークアダプタであり、ネットワーク５を介
してサーバ２と通信を行う。データ記憶部１３は、例えばＨＤＤ（Hard Disk Drive）や
ＳＳＤ（Solid State Drive）、フラッシュメモリ等の記憶装置であり、センサ１４２が
出力したデータを収集して記憶する。なお、トイレ１は、トイレブース１４を複数備えていてもよい。
【００２５】
また、トイレブース１４は、制御部１４１と、センサ１４２と、データ記憶部１４３とを有する。なお、センサ１４２を複数備えていてもよい。制御部１４１は、センサから出力された情報をデータ記憶部１４３に記憶させ、所定のタイミングで制御部１１に出力する。また、制御部１４１は、トイレの機器に関する設定情報を制御部１１から受信し、データ記憶部１４３に記憶させることにより設定を変更する。
【００２６】
図４に、コンピュータの装置構成図の一例を示す。サーバ２、管理者端末３及び通知先サーバ４は、図４に示すようなコンピュータである。コンピュータは、例えば、ＣＰＵ（Central Processing Unit）１００１、主記憶装置１００２、補助記憶装置１００３、通
信ＩＦ（Interface）１００４、入出力ＩＦ（Interface）１００５、ドライブ装置１００６、通信バス１００７を備えている。ＣＰＵ１００１は、プログラムを実行することにより本実施の形態で説明する処理を行う。主記憶装置１００２は、ＣＰＵ１００１が読み出したプログラムやデータをキャッシュしたり、ＣＰＵの作業領域を展開したりする。主記憶装置は、具体的には、ＲＡＭ（Random Access Memory）やＲＯＭ（Read Only Memory）等である。補助記憶装置１００３は、ＣＰＵ１００１により実行されるプログラムや、本実施の形態で用いる設定情報などを記憶する。補助記憶装置１００３は、具体的には、ＨＤＤやＳＳＤ、フラッシュメモリ等である。通信ＩＦ１００４は、他のコンピュータ装置との間でデータを送受信する。通信ＩＦ１００４は、具体的には、有線又は無線のネットワークカード等である。入出力ＩＦ１００５は、入出力装置と接続され、コンピュータのユーザから入力を受け付けたり、ユーザへ情報を出力したりする。入出力装置は、具体的には、キーボード、マウス、ディスプレイ又はタッチパネル等である。ドライブ装置１００６は、フレキシブルディスク、ＣＤ（Compact Disc）、ＤＶＤ（Digital Versatile Disc）、ＢＤ（Blu-ray Disc）等の記録媒体に記録されたデータを読み出したり、記録媒体にデータを書き込んだりする。以上のような構成要素が、通信バス１００７で接続されている。なお、これらの構成要素は複数設けられていてもよいし、一部の構成要素（例えば、ドライブ装置１００６）を設けないようにしてもよい。また、入出力装置がコンピュータと一体に構成されていてもよい。
【００２７】
＜監視処理＞
次に、システムが実行する処理について説明する。図５は、トイレ１の制御部１１が実行する監視処理の一例を示す処理フローである。監視処理では、センサ１４２を介して収集したデータ（「センシングデータ」とも呼ぶ）を、トイレ１がサーバ２に送信する。本処理によってサーバ２に蓄積されるデータは、管理者端末３等からダウンロードすることができ、管理者端末３を操作する管理者は、トイレ１の状態を把握したり、分析したりすることができる。また、監視処理では、センサ１４２を介して、例えば異常と判断される所定の状態を検知した場合、速やかに通知先サーバ４へ通知したり、サーバ２に情報を蓄積したりする。
【００２８】
まず、センサ１４２は、それぞれ情報を検知すると、検知した情報をデジタル信号に変換して処理部１４１に出力する。一方、処理部１４１は、センサ１４２が出力した情報をデータ記憶部１４３に記憶させる。
【００２９】
センサ１４２が人感センサである場合、制御部１４１は、トイレの利用者の人数（すなわち、人感センサが人物を検知した回数）をデータ記憶部１４３に記憶させる。また、センサ１４２が流量センサである場合、制御部１４１は、便器に流された洗浄水の流量の合
計をデータ記憶部１４３に記憶させる。センサ１４２がドアロックセンサである場合、制御部１４１は、ドアがロックされているか否かを示す情報をデータ記憶部１４３に記憶させ、ドアがロックされているときは、ドアがロックされてからの経過時間を計数する。センサ１４２が着座センサである場合、制御部１４１は、便座に人が座っているか否かを示す情報をデータ記憶部１４３に記憶させ、便座に人が座っているときは、着座を検知してからの経過時間を計数する。なお、ドアがロックされてからの経過時間や、着座を検知してからの経過時間は、例えば制御部１１や制御部１４１が有するタイマを用いて計数することができる。
【００３０】
また、処理部１４１は、所定の間隔で、データ記憶部１４３に記憶されている情報をトイレ１の制御部１１に出力する。一方、トイレ１の制御部１１は、まず、センサ１４２の情報（すなわち、センシングデータ）を受信したか判断する（図５：ステップＳ１）。なお、上記のように、センサ１４２の情報は所定の間隔で、又は検知されると速やかに、トイレブース１４の制御部１４１から制御部１１へ送信される。センサ１４２の情報を受信したと判断された場合、制御部１１は、受信したデータをデータ記憶部１３に記憶させる（Ｓ２）。
【００３１】
Ｓ２の後、又はＳ１においてセンサ１４２の情報を受信していない場合（Ｓ１：ＮＯ）、制御部１１は、所定の条件を満たしているか判断する（Ｓ３）。本ステップでは、例えば所定の時刻であるか、又は所定の期間が経過したか判断する。所定の条件を満たしていると判断された場合（Ｓ３：ＹＥＳ）、制御部１１は、センサ１４２の情報又は所定のデータを、ネットワーク５を介してサーバ２へ送信する（Ｓ４）。本ステップでは、トイレブース毎の利用者の人数や、使用された洗浄水の量等が送信される。なお、Ｓ３の「所定の条件」として、例えば、センシングデータに対応付けて、異常な状態と判断できるような条件を設定しておき、制御部１４１は情報を速やかに制御部１１に出力するようにしてもよい。より具体的には、所定の時間以上、ドアがロックされた状態が続いた場合に、制御部１４１は制御部１１へ情報を出力し、出力された情報が制御部１１からサーバ２等へ速やかに送信されるようにしてもよい。
【００３２】
Ｓ４の後、又はＳ３において所定の条件を満たしていないと判断された場合（Ｓ３：ＮＯ）、処理はＳ１に戻る。そして、上記の処理を、例えばトイレシステムの電源が切られるまで制御部１１は繰り返す。一方、サーバ２のネットワークＩ／Ｆは、Ｓ４において制御部１１が送信したセンサ１４２の情報を受信し、例えば補助記憶装置は受信した情報を記憶する。また、サーバ２に記憶されたセンサ１４２の情報は、ネットワーク５を介して、例えば、管理者端末３からダウンロードされたり、通知先サーバ４に転送されたりする。このようにすれば、トイレ内の状態を示す情報を遠隔地から監視可能なシステムを提供することができる。
【００３３】
＜監視処理の具体例１＞
例えば、センサ１４２が人感センサの場合、制御部１１は、所定のタイミングで、又はセンサ１４２（人感センサ）が人の存在を検知するたびに、Ｓ１において、制御部１４１からセンサ１４２の情報を受信し、Ｓ２において、例えば制御部１４１の識別情報と対応付けて制御部１４１毎（すなわち、トイレブース１４毎）に集計される。また、制御部１１は、Ｓ３において例えば所定の時刻になったことを検知すると、Ｓ４において、データ記憶部１３に記憶されている所定期間分の集計データを、センサ１４２の情報としてサーバ２へ送信する。
【００３４】
サーバ２では、上記のようなデータを、トイレ１毎（例えば、建物のフロアごと）、且つ日にちごとに、「利用人数」として集計する。図６に、集計データの一例を示す。図６では、各トイレ１に名称を付し、「トイレ区分」と表している。図６の表は、「トイレ区
分」、「年月日」、及び「利用人数」の列を有し、トイレ区分毎に一日の利用人数が集計されている。そして、管理者端末３は、図６に示したような情報をダウンロードすることができる。なお、図６に示した表を、サーバ２又は管理者端末３において、さらにクロス集計し、クロス集計表を作成してもよい。図７に、クロス集計表の一例を示す。図７のクロス集計表は、表頭に日にち、表側にトイレ区分を有し、対応する値が各セルに記載されている。センサ１４２の情報は、以上のように集計され、活用される。
【００３５】
以上のように、監視処理の具体例１によれば、トイレの利用者数を遠隔地から監視可能となる。上記のような集計値を利用すれば、トイレ１を導入した建物の来客数を分析したり、トイレの清掃や消耗品の補充計画の作成に活用したりすることができる。また、集計値を取得するために担当者が各トイレを巡回する必要がなくなるため、郊外に存在し、且つトイレ１の数が少ないような建物に本システムを導入すれば、特に人件費に対する作業効率を向上させることができる。
【００３６】
＜監視処理の具体例２＞
例えば、センサ１４２が流量センサの場合、制御部１１は、所定のタイミングで、又はセンサ１４２（流量センサ）が洗浄水の放流を検知するたびに、Ｓ１において、制御部１４１からセンサ１４２の情報を受信し、Ｓ２において、例えば制御部１４１の識別情報と対応付けて制御部１４１毎（すなわち、トイレブース１４毎）に集計される。また、制御部１１は、Ｓ３において例えば所定の時刻になったことを検知すると、Ｓ４において、データ記憶部１３に記憶されている所定期間分の集計データを、センサ１４２の情報としてサーバ２へ送信する。
【００３７】
サーバ２では、上記のようなデータを、トイレ１毎（例えば、建物のフロアごと）、且つ日にち毎に、「洗浄水使用量」として集計する。また、管理者端末３は、フロア毎、且つ日にち毎の洗浄水使用量の情報をダウンロードすることができる。
【００３８】
以上のように、監視処理の具体例２によれば、洗浄水の使用量を遠隔地から監視可能となる。上記のような集計値を利用すれば、トイレ１を導入した建物の節水状況を確認したり、使用量の設定の変更や制御弁の不具合の検知に活用したりすることができる。また、監視処理の具体例１と同様に、集計値を取得するために担当者が各トイレを巡回する必要がなくなるため、郊外に存在し、且つトイレ１の数が少ないような建物に本システムを導入すれば、特に効率を向上させることができる。
【００３９】
＜監視処理の具体例３＞
例えば、センサ１４２がドアロックセンサ若しくは着座センサ、またはこれらの組合せの場合、制御部１１は、ドアがロックされたこと又はトイレの利用者が着座したことを検知すると、Ｓ１において、制御部１４１からその旨の情報を受信し、Ｓ２において、当該情報をデータ記憶部１３に記憶させる。また、制御部１１は、Ｓ３において、例えばドアがロックされてから又は利用者が着座してから所定時間が経過したことを検知すると、Ｓ４において、その旨の情報を、センサ１４２の情報としてサーバ２へ送信する。なお、Ｓ３において、ドアがロックされた状態であり、且つ着座していない状態が所定時間以上続いたことを検知した場合に、Ｓ４において、その旨の情報を制御部１１からサーバ２へ送信するようにしてもよい。
【００４０】
また、サーバ２では、上記のようなデータを、例えば通知先サーバ４に転送する。例えば、所定の担当者のメールアドレスを宛先として、外部のメールサーバである通知先サーバ４に、上記のような状態が所定時間以上続いたことが検知されたことを示す情報と、当該状態が検知されたトイレブース１４を特定するための情報とを含むメールを送信する。このようにすれば、所定の担当者は、当該状態が検知されたことを速やかに知ることがで
きる。
【００４１】
以上のように、監視処理の具体例３によれば、トイレの使用者の滞在状況を遠隔から監視可能となる。上記のような状態が所定時間以上続いた場合、例えば、トイレブース１４内に不審者が滞在している可能性や、トイレブース１４内に病気や怪我等の理由で救助を必要としている利用者が存在する可能性が疑われる。したがって、上記のような状態が所定時間以上続いた場合、所定の担当者に注意を促す通知をすれば、防犯性及び安全性の向上を図ることができる。
【００４２】
＜監視処理の具体例４＞
また、センサ１４２は、様々なログを収集するためのセンサやトイレ１の状態を検知するための回路等であってもよい。例えば、制御部１４１は、センサ１４２を介して、機器の電源投入や、バッテリ残量、漏水の有無、洗浄水の水位センサの状態、機器への応答確認による死活監視の結果、その他のエラーを取得し、ログデータとしてデータ記憶部１４３に記憶させるようにしてもよい。
【００４３】
制御部１１は、所定のタイミングで、又はセンサ１４２がエラー等を検知するたびに、Ｓ１において、制御部１４１からセンサ１４２の情報を受信し、Ｓ２において、例えば制御部１４１の識別情報と対応付けて（すなわち、トイレブース１４と対応付けて）記録する。また、制御部１１は、Ｓ３において例えば所定の時刻になったことを検知すると、Ｓ４において、データ記憶部１３に記憶されている所定期間分のログデータを、センサ１４２の情報としてサーバ２へ送信する。
【００４４】
＜その他の変形例＞
上記の具体例の他、例えばセンサ１４２からの情報に基づいて、上記監視処理の具体例３で述べたような異常を検知した場合、図示していないトイレ入口の防犯カメラを作動させたり、異常を検知した時刻と異常の内容とを含むログを記録させたりしてもよい。
【００４５】
例えば、図８に示すようなログを記録し、所定のタイミングで、又はログが記録されるたびに、トイレ１からサーバ２へログを送信するようにしてもよい。図８は、ログの一例を説明するための図である。図８の例には、「電源投入」、「コントローラ」、「外部モジュールバッテリ残量なし」、「外部モジュールＡ／Ｄ変換エラー」、「緊急ＳＷ入力あり」、「長期滞留者あり」、「漏水検知」、「洗浄不良：水位センサが変化しない」、「洗浄不良：水位センサが満水にならない」、「洗浄不良：フラッシュバルブからの応答なし」、「カウンタコマンド実行」、「未定義割り込み発生」、「ＥＥＰＲＯＭ異常：リスタート」、「洗浄未完了：リスタート」等のログが挙げられている。上記の具体例及び変形例は、組み合わせて実行するようにしてもよい。
【００４６】
＜設定変更処理＞
図９は、トイレ１が実行する設定変更処理の一例を示す処理フローである。上で述べた監視処理に加えて、又は上で述べた監視処理に代えて、次に説明する設定変更処理を実行するようにしてもよい。設定変更処理では、例えば管理者端末３からネットワーク５を介してトイレ１に関する設定を変更できるようにする。
【００４７】
例えば、管理者端末３を操作する管理者は、トイレ１の制御部１１を一意に識別することができるように予め設定された識別情報、又はトイレブース１４の制御部１４１を一意に識別することができるように予め設定された識別情報と、変更後の設定を示す情報とを含む変更指示情報を、任意のタイミングでサーバ２にアップロードしておく。
【００４８】
なお、機器の設定のうち変更できる項目の例としては、洗浄水の流量、流量を利用者の
滞在時間に応じて変更する際の閾値である大小判定時間、トイレ用擬音装置の音の種類を表す擬音モード等が挙げられる。
【００４９】
一方、所定の時刻に、又は所定の間隔で、図９に示した処理が実行される。まず、トイレ１の制御部１１は、例えば、設定変更を指示するデータがアップロードされているか、ネットワーク５を介してサーバ２に問い合わせる（図９：Ｓ１１）。データが存在すると判断された場合（Ｓ１１：ＹＥＳ）、制御部１１は、サーバ２から設定変更を指示するデータをダウンロードし、設定変更を反映させる（Ｓ１２）。Ｓ１２の後、又はＳ１１においてデータが存在しないと判断された場合（Ｓ１１：ＮＯ）、処理はＳ１１に戻る。そして、上記の処理を、例えばトイレ１の電源が切られるまで制御部１１は繰り返す。
【００５０】
なお、設定変更を指示するデータがアップロードされているか確認する、所定の時刻や所定の間隔についても、設定変更処理によって変更可能としてもよい。
【００５１】
＜設定変更処理の具体例１＞
図１０に、トイレブース毎の設定の一例を示す。図１０の表は、「通番」、「設置場所」、「利用区分」、「和洋区分」、「基盤種別」、「個体番号」、「シリアル番号」、「小洗浄流量」、「大洗浄流量」、「大小判定時間」、「連続洗浄防止時間」、「洗浄モータ動作時間」、「クラッチＯＮ時間」、「洗浄時モータ回転方向」、「擬音モード」等の列を含む。例えば、管理者端末３を操作する管理者は、図１０に示したようなデータを作成又は変更し、各項目の値をカンマで区切ったＣＳＶ（Comma Separated Value）形式の
ファイルに出力して、ＣＳＶファイルをサーバ２へアップロードする。
【００５２】
一方、トイレ１の制御部１１はネットワーク通信部１２を介して、所定のタイミングでサーバ２からＣＳＶファイルをダウンロードし、ダウンロードしたＣＳＶファイルに基づいてトイレ１の設定を変更する。なお、設定の変更は、データ記憶部１３に記憶されている設定の情報を更新することにより実行する。また、トイレ１に設けられている図示していない各機器は、データ記憶部１３に記憶されている設定の情報に基づいて制御される。
【００５３】
例えば、洗浄水の制御弁（「電磁弁」とも呼ぶ）は、小便及び大便の各々について設定された、１回の洗浄で流す洗浄水の量に基づいて、開閉が制御される。従来、１回の洗浄で流す洗浄水の量の目標値を定めておき、洗浄水の放流に伴い回転する回転翼車の回転数に基づいて導出された実際の流量のフィードバックを受けて電磁弁の開閉時間を自動的に修正する技術は存在した。しかしながら、目標値を変更するためには担当者が現地へ赴いて設定を変更する必要があった。本具体例によれば、ネットワーク５を介して目標値を変更することができるようになる。
【００５４】
＜設定変更処理の具体例２＞
トイレ１に設けられている機器を対象として、当該機器の状態を速やかに変更するようにしてもよい。換言すれば、トイレ１に設けられている機器をほぼリアルタイムに遠隔操作するようにしてもよい。
【００５５】
例えば、洗浄水を放流するための電磁弁を、ネットワーク５を介して開閉できるようにしてもよい。特に、洗浄水として井戸水を使用しているようなトイレにおいては、電磁弁にごみが詰まるような場合がある。このような場合、電磁弁の開閉を数回繰り返すことにより詰まりが解消するようなことも少なくない。このようなとき、本具体例によれば、担当者が現地へ行かずともネットワーク５を介して不具合を解消することができるようになるため、メンテナンスに関する利便性が大きく向上する。
【符号の説明】
【００５６】
１      トイレ
１１      制御部
１２      通信部
１３      データ記憶部
１４      トイレブース
１４１      制御部
１４２      センサ
１４３      データ記憶部
２      サーバ
３      管理者端末
４      通知先サーバ
【図１】
2019027278.tif 000003
【図２】
2019027278.tif 000004
【図３】
2019027278.tif 000005
【図４】
2019027278.tif 000006
【図５】
2019027278.tif 000007
【図６】
2019027278.tif 000008
【図７】
2019027278.tif 000009
【図８】
2019027278.tif 000010
【図９】
2019027278.tif 000011
【図１０】
2019027278.tif 000012
【手続補正書】
【提出日】平成30年11月2日(2018.11.2)
【手続補正１】
【補正対象書類名】特許請求の範囲
【補正対象項目名】全文
【補正方法】変更
【補正の内容】
【特許請求の範囲】
【請求項１】
公衆トイレ設けられた機器を制御するための設定を、ネットワークを介して変更するためのトイレシステムであって、
前記設定を記憶する設定記憶部と、
前記ネットワークを介して所定のサーバと通信を行う通信手段と、
前記通信手段を介して、前記所定のサーバへ、前記公衆トイレに対し前記設定の変更を指示するデータがアップロードされているか問い合わせ、前記データが存在する場合、前記データをダウンロードし、前記設定記憶部に記憶させる制御部と、
を有するトイレシステム。
【請求項２】
前記設定は、水洗便器の制御弁が放流する洗浄水の水量を示す情報を含む
請求項１に記載のトイレシステム。
【請求項３】
前記設定は、前記水洗便器を備えるトイレブースごとに、小便及び大便についてそれぞれ水量が定められる、
請求項２に記載のトイレシステム。